(57)【特許請求の範囲】
【請求項１】
１つのセンサ本体と１つのハウジンアセンブリとから少なくとも構成されている車輪速センサにおいて、
前記センサ本体が、１つのホールセンサ素子と１つのリードフレームと１つのサポートと１つのワイヤリングハーネスとから構成され、
前記サポート内に配置されている前記リードフレームが、前記ホールセンサ素子と前記ワイヤリングハーネスとの間の電気接続を達成するための１つのリード接続構造物を備え付けられていて、
前記サポートが、前記ホールセンサ素子に適合されている１つの取付溝を備え付けられていて、このホールセンサ素子が、この取付溝内に設置されていて、
前記リードフレームと前記サポートとが、１つの絶縁ハウジング内に全体として封入されていて、この絶縁ハウジングが、前記ハウジングアセンブリ内に固定されていて、前記ワイヤリングハーネスの一部が、前記絶縁ハウジング内に設置されている当該車輪速センサ。
【請求項２】
前記車輪速センサは、１つの信号パネルをさらに有し、この信号パネルは、１つの車輪に固定されていて、この車輪の回転と一緒に回転し、
１つの磁場源が、前記ハウジングアセンブリ内に設けられていて、
前記ホールセンサ素子は、前記ハウジングアセンブリ内の前記信号パネルの回転に起因する当該磁場の変化に基づいて測定信号を生成することを特徴とする請求項１に記載の車輪速センサ。
【請求項３】
前記ハウジングアセンブリは、１つのハウジング本体と１つの中心軸と１つの永久磁石とから構成され、
前記ハウジング本体は、１つの軸孔を備え付けられていて、
１つの取付溝を有する前記中心軸が、前記ハウジング本体内の前記軸孔に固定されていて、
前記永久磁石は、前記磁場源として前記取付溝内に固定されていて、
前記信号パネルは、前記中心軸上にスリーブ状に被せられていることを特徴とする請求項２に記載の車輪速センサ。
【請求項４】
前記信号パネルと車輪とが、同期して回転し、前記信号パネルが、前記磁場の変化をもたらすための前記永久磁石によって生成された前記磁場内の磁力線を切ることを特徴とする請求項３に記載の車輪速センサ。
【請求項５】
前記信号パネルは、複数の歯型構造物を有し、これらの歯型構造物は、前記中心軸と前記ハウジング本体との間に非接触式に設置されていて、前記ホールセンサ素子と前記永久磁石との間に設置されていることを特徴とする請求項４に記載の車輪速センサ。
【請求項６】
前記サポートは、複数の突起部をさらに有し、これらの突起部は、前記センサ本体内の対応する複数の固定点の周りに分散されていることを特徴とする請求項１に記載の車輪速センサ。
【請求項７】
前記センサ本体は、１つの測定信号処理回路をさらに有し、
前記測定信号処理回路は、前記リードフレームを介して前記ホールセンサ素子と前記ワイヤリングハーネスとに接続されていて、前記測定信号処理回路は、前記ホールセンサ素子によって生成された測定信号を処理し、当該測定信号を前記ワイヤリングハーネスに伝送することを特徴とする請求項２に記載の車輪速センサ。
【請求項８】
前記ワイヤリングハーネスは、１つの電力線と１つの接地線と１つの出力信号線とを有し、前記測定信号処理回路は、前記電力線と前記ホールセンサ素子とに接続している１つの抵抗器と、前記電力線と前記接地線とに接続されている１つのコンデンサと、前記接地線と前記信号線とに接続されている１つのコンデンサとを有することを特徴とする請求項７に記載の車輪速センサ。
【請求項９】
前記サポートは、前記抵抗器と前記コンデンサとに適合された複数の取付溝を有することを特徴とする請求項８に記載の車輪速センサ。
【請求項１０】
前記ハウジング本体は、前記絶縁ハウジングに適合された１つの座屈構造物をさらに有し、前記絶縁ハウジングは、前記ハウジング本体に固定接続されるように、前記座屈構造物内に座屈式に固定されていることを特徴とする請求項３に記載の車輪速センサ。
【発明の詳細な説明】
【技術分野】
【０００１】
本発明は、車輪速センサの構成に関し、特にホールセンサ素子を有する車輪速センサに関する。
【背景技術】
【０００２】
車輪速度（車輪の回転速度）が、車両の交通安全にとって重要な監視データである。運転者に車両の速度制御に注意を払わせるため、又は、車両の現在の運転状態に基づいて、対応する安全補助機能を実行するための車両安全システムに提供することによって車両内の人の安全を保証するため、車両の現在の走行状態が、車輪速度データを通じて確認され得る。
【０００３】
運転者への注意喚起に関して、車輪速度データが、バックグラウンド計算によって車両の速度に変換され、車両の現在の速度を目視するための運転者用計器パネル上に表示され得る。しかしながら、車両安全システムの適用に関しては、現在においてあらゆる車両に標準の構成であるアンチロックブレーキングシステム（ＡＢＳ）によるアンチロックブレーキング機能が、当該安全補助機能において比較的重要な機能のうちの１つである。車両が、走行中に緊急事態に遭遇したときに、車輪のロッキング状態が頻繁に発生することが周知である。この車輪のロッキング状態は、車両の通常のブレーキングに対して不利益であり、このときに交通安全に支障をきたす。また、当該アンチロックブレーキングシステムは、車輪速度に対する実時間計測によって、車輪がロッキング傾向にあるか否かを判定できる。当該ロッキング傾向が確認されると、車輪のロッキング状態が発生することを回避するため、車両のブレーキシリンダ内の圧力が調整される。
【０００４】
現在、リアルタイムに車輪速度を測定するための車輪速センサが、上述した機能を達成する当該測定の重要性のために、市場で非常に注目を集めている。より効率的な車輪速度の測定を達成するため、既存の車輪速センサは、非接触構造を一般に採用する。この場合、ホールセンサ素子を有する車輪速センサも、比較的広い用途を網羅している。したがって、より正確な車輪速度の測定信号を提供するため、ホールセンサ素子を有する車輪速センサの性能を、どのようにしてより安定にするかもが、存在する構成の注目の的になっている。
【先行技術文献】
【特許文献】
【０００５】
【特許文献１】米国特許出願公開第２０１００９７０５４号明細書
【特許文献２】独国特許出願公開第１０２００６０５０１７７号明細書
【特許文献３】独国特許出願公開第１０２００８０６４０４７号明細書
【特許文献４】仏国特許出願公開第２５８５８４０号明細書
【特許文献５】米国特許出願公開第２００２１８１２０７号号明細書
【特許文献６】米国特許出願公開第２００７１２６０８８号明細書
【特許文献７】独国特許出願公開第１９７４４６７３号明細書
【特許文献８】米国特許出願公開第２００２１８０４２４号明細書
【特許文献９】米国特許出願公開第２００７２９６３９８号明細書
【発明の概要】
【発明が解決しようとする課題】
【０００６】
本発明の課題は、性能がより安定である車輪速センサを提供することにある。
【課題を解決するための手段】
【０００７】
上記の課題を解決するため、１つのセンサ本体と１つのハウジンアセンブリとが少なくとも構成されている。この場合、前記センサ本体が、１つのホールセンサ素子と１つのリードフレームと１つのサポートと１つのワイヤリングハーネスとから構成される。射出成形によって前記サポート内に配置されている前記リードフレームが、前記ホールセンサ素子と前記ワイヤリングハーネスとの間の電気接続を達成するための１つのリード接続構造物を備え付けられている。前記サポートが、前記ホールセンサ素子に適合されている１つの取付溝を備え付けられている。このホールセンサ素子が、この取付溝内に設置されている。前記リードフレームとサポートとが、１つの絶縁ハウジング内に全体として封入されている。この絶縁ハウジングが、前記ハウジングアセンブリ内に固定されている。前記ワイヤリングハーネスの一部が、前記絶縁ハウジング内に設置されている。
【０００８】
この代わりに、前記ハウジングアセンブリが、前記絶縁ハウジングに適合された座屈構造を備え付けられている１つのハウジング本体を有する。前記絶縁ハウジングが、前記ハウジング本体に固定接続されるように、前記座屈構造物内に座屈式に固定されている。
【０００９】
従来の技術と比較すると、本発明の車輪速センサは、以下の利点を有する：
１）前記ホールセンサと一緒に組み立てられた前記サポートと前記リードフレームとを全体として同じ前記絶縁ハウジング内に封入することによって、前記車輪速センサの組み立てを完了し、前記ホールセンサ素子を、前記絶縁ハウジングを介して前記ハウジングアセンブリ内に固定した後に、前記ホールセンサ素子の位置が、不動に維持される。不動の位置にある前記ホールセンサ素子が、車輪速度に対する測定精度を効果的に維持する結果、車輪速センサの性能が、より安定である。
２）別の解決手段では、前記センサ本体と前記ハウジング本体とによって採用された組み立て構造に起因して、前記センサ本体又は前記ハウジング本体が、何らかの不具合があるときに、この別の解決手段は、前記センサ本体又は前記ハウジング本体を交換することによって達成され得る。その結果、維持コストが削減される。
【図面の簡単な説明】
【００１０】
【図１】本発明の車輪速センサの実施の形態の全体の概念図である。
【図２】図１に示された車輪速センサの分解された概念図である。
【図３】図１に示された車輪速センサ内のセンサ本体の、サポートとリードフレームとワイヤリングハーネスとの接続部分の概念図である。
【図４ａ】図３に示されたセンサ本体の特定の実装の詳細な概念図である。
【図４ｂ】図４ａに示されたセンサ本体内の測定信号処理回路の等価概念図である。
【図５】図３に示されたセンサ本体の組立概念図である。
【図６】図３に示されたセンサ本体の組立概念図である。
【図７】図３に示されたセンサ本体の組立概念図である。
【図８】図３に示されたセンサ本体の組立概念図である。
【発明を実施するための形態】
【００１１】
以下に、本発明の車輪速センサを特定の実施の形態によってさらに説明する。
【００１２】
図１は、本発明の車輪速センサの実施の形態の特定の構成を示す。図１によれば、この車輪速センサは、センサ本体１とハウジングアセンブリ２と信号パネル３とから構成される。これらの３つの要素が、これらの３つの要素のそれぞれの結合機構によって一緒に組み立てられる。車輪速に対する実時間計測を実現するため、当該センサ本体１が、当該ハウジングアセンブリ２内に固定されている。特に、当該車輪速センサは、当該信号パネル３を介して車輪上に固定されている。当該信号パネル３は、この車輪の回転と一緒に回転する。磁場源が、当該ハウジングアセンブリ２内に設けられていて、当該信号パネル３が、この車輪と一緒に回転する結果、当該磁場が、当該ハウジングアセンブリ２内で変化する。このとき、センサ本体１が、当該磁場内のその変化に基づいて、リアルタイムに測定される測定信号、すなわち車輪速データを生成する。当該車輪速センサの作動過程中に、センサ本体１が、当該ハウジングアセンブリ２内に固定されているので、当該信号パネルに対するこのセンサ本体１の距離も一定に保持される。当該距離は、車輪速に対するこのセンサ本体１の測定精度を効果的に維持する。
【００１３】
図２は、図１に示された車輪速センサの分解された概念図である。以下に、上記の車輪速センサ内のハウジングアセンブリと信号パネルとを、図２を参照して詳細に説明する。
【００１４】
図１及び図２を一緒に参照すると、当該ハウジングアセンブリ２は、ハウジング本体２１と中心軸２２と永久磁石２３とから構成される。当該中心軸２２が、１つの取り付け孔を備え付けられている。当該永久磁石２３が、上記磁場源としてこの取り付け孔内に固定されている。当該中心軸２２が、当該ハウジング本体２１内に固定されているときに、当該永久磁石２３が、このハウジング本体２１内に上記の磁場を生成できる。当該ハウジング本体２１内に当該中心軸２２を固定することを実現するため、射出成形のような方法が、この中心軸２２をこのハウジング本体２１内に収容して固定するために採用され得る。すなわち、この中心軸２２とこのハウジング本体とが、金型による射出成形を経て全体として一体化される。この中心軸２２と一体化するため、射出成形によって形成されたこのハウジング本体２１が、この中心軸２２に合う１つの軸孔を備え付けられなければならない。
【００１５】
また、当該中心軸２２は、当該信号パネル３を当該ハウジング本体２１内に組み付けるための結合部品として作用する。図２に示されているように、この信号パネル３は、この中心軸２２の寸法に合う１つの中心孔を備え付けられている。当該組み付けは、この信号パネル３をこの中心軸２２上に嵌合させることによって実現され得る。当然に、この信号パネル３とこのハウジング本体２１とを組み付ける方法は、当業者に公知で且つここでは説明されていないその他の方法で実施されてもよい。この信号パネル３が、このハウジング本体２１に組み付けられた後に、このハウジング本体２１内の磁場が、この信号パネル３の回転によって変化され得る。このハウジング本体２１に組み付けられた後に、この信号パネル３をこのハウジング本体２１内で回転させるためには、この信号パネル３が、このハウジング本体２１の対向面から間隔を保たなければならないことが重要である。したがって、この信号パネル３がこのハウジング本体２１内に設置されている構造は、この回転機能の実現に基づいて設計され得る。
【００１６】
例えば、当該信号パネル３が当該ハウジング本体２１内に設置されている構造は、図２に示されたように複数の突起構造物を備え付けられ得る。当該永久磁石２３が、当該中心軸２２によって当該ハウジング本体２１内に固定されてあり、当該信号パネル３と一緒に回転しないので、当該ハウジング本体２１内に組み付けられている当該信号パネル３が、車輪と一緒に回転するときに、当該複数の突起構造物が、磁場内の磁力線を切る結果、当該ハウジング本体２１内の磁場を変化させる。この磁場の当該変化が、上述したように、当該センサ本体１によって検出され、次いで、上記の測定信号が出力される。明らかに、当該信号パネル３の当該複数の突起構造物は、この磁場の変化の検出及び出力を実現するために、このセンサ本体１内のホールセンサ素子と当該永久磁石２３との間に設置されなければならない。この磁場の変化を、当該センサ本体１によってより正確に測定されるようにするため、当該複数の突起構造物は、当該信号パネル３の回転面上に均等に配置された複数の歯型構造物を包囲できる。当該複数の歯型構造物間の複数の空間は、等しい。当然に、本発明の車輪速センサは、当該複数の突起構造物の形を規定せず、当業者が、当該信号パネル３の磁力線を切る機能を実現するためのその他の構成を採用してもよい。
【００１７】
当該信号パネル３が、当該ハウジング本体２１内に組み付けられた後に、当該車輪速センサが、全体として、より良好な密封性を有する目的のために、オイルシール４が、当該ハウジング本体２１上にさらに設けられ得る。当該オイルシール４は、外側にゴムを採用し、中央部に金属製のフレームワークを採用し、当該オイルシール４の形及び寸法は、車輪の、対応するセンサ相手穴に一致されなければならない。当該オイルシール４の構造は、車輪の回転中に、センサ内の潤滑油が、漏れ出ることから阻止され、外部の不純物が、センサに入ることが阻止されることを保証できる。その結果、当該車輪速センサの耐用年数が延びる。
【００１８】
図３は、図１に示された車輪速センサ内のセンサ本体の、サポートとリードフレームとワイヤリングハーネスとの接続部分の概念図である。以下に、このセンサ本体の特定の構造を、図３と共に詳しく説明する。
【００１９】
図１及び３を一緒に参照すると、当該センサ本体１は、ホールセンサ素子１１とリードフレーム１２とサポート１３とワイヤリングハーネス１４とから構成される。このリードフレーム１２が、このホールセンサ素子１１とワイヤリングハーネス１４との間の電気接続を実現するためのリード接続構造物を成す。当該リード接続構造物内の、当該ホールセンサ素子１１に電気接続されている接続端子の数が、接続端子の数と当該ホールセンサ素子１１自体の作業要件とに基づいて適切に構成され、そして、当該ワイヤリングハーネス１４に電気接続される当該リード接続構造物内の接続端子の数が、当該ホールセンサ素子１１の作業要求とこのワイヤリングハーネス１４の出力要求とに基づいて適切に構成される。当該リードフレーム１２が、金属等の導電材料から成る。
【００２０】
当該サポート１３が、当該ホールセンサ素子１１に適合されている取付溝を備え付けられている。当該リード接続構造物の接続端子が、射出成形によってこのサポート内に設けられる。当該ホールセンサ素子１１が、当該取付溝内に設置される。このホールセンサ素子１１によって生成された測定信号が、当該接続端子を通じてワイヤリングハーネス１４に伝達され、車両の現在の状態を判定し、対応する制御手段を講じるための、対応する車両用制御装置に対して出力されるか、又は現在の速度を読み取るための、対応する車両用計器に対して出力される。
【００２１】
図４ａは、センサ本体の特定の実装の詳細な概念図である。図４ａを参照すると、このセンサ本体は、測定信号処理回路をさらに有し、当該ホールセンサ素子１１によって生成された測定信号を処理し、次いで当該測定信号を当該ワイヤリングハーネス１４に伝送する。この測定信号処理回路は、当該リードフレーム１２の接続端子を介して当該ホールセンサ素子１１と当該ワイヤリングハーネス１４とを接続する。
【００２２】
特に、当該ホールセンサ素子１１が、例えば３端子（電力供給端子、接地端子及び出力信号端子）のセンサ素子の場合、当該測定信号処理回路は、当該ホールセンサ素子１１の電力供給端子に接続された抵抗器Ｒ１と、当該ホールセンサ素子１１の出力信号端子と接地端子との間に並列に接続された第１コンデンサＣ１と、当該ホールセンサ素子１１の電力需給端子と接地端子との間に並列に接続された第２コンデンサＣ２とから構成される。当該測定信号処理回路の２つのコンデンサの配置は、当該車輪速センサの耐干渉性を強化するための、当該ホールセンサ素子１１によって出力された測定信号のフィルタリングに有益である。
【００２３】
当該ホールセンサ素子１１の端子構造に応じた、当該ホールセンサ素子１１に電気接続されている当該リードフレーム１２の接続端子の数は、３であり、当該ワイヤリングハーネス１４に電気接続されている接続端子の数は、少なくとも３つである。当該測定信号処理回路内の上記の１つの抵抗器と複数のコンデンサとがそれぞれ、対応する接続端子に電気接続されることによって図４ｂに示されたような回路を実現する。これに応じて、当該ワイヤリングハーネス１４も、１つの電力線と１つの接地線と１つの出力信号線とから少なくとも構成される。
【００２４】
図３及び４ａを一緒に参照すると、当該サポート１３は、当該抵抗器Ｒ１とコンデンサＣ１とコンデンサＣ２とに適合された取付溝をも備え付けられ得る。当該センサ本体内への当該測定信号処理回路のより安定した組み付けが、上記の１つの抵抗器と複数のコンデンサとの取付溝によって実現され得る。
【００２５】
例えば、図５〜８は、当該サポート１３の構造に基づいた組み付けの例を示す。最初に、図５を参照すると、当該リードフレーム１２の接続端子が、金型による射出成形を経た当該サポート１３内に配置される。また、当該ホールセンサ素子１１が、対応する取付溝内に設置され、当該ホールセンサ素子１１の全ての端子と、当該リードフレーム１２の対応する接続端子とが、接続後の溶着によって一緒に固定される。
【００２６】
次いで、図６を参照すると、当該抵抗器Ｒ１が、対応する取付溝内に設置され、当該リードフレーム１２内の当該電力線に接続された接続端子との電気接続と同様に、当該抵抗器Ｒ１と当該ホールセンサ素子１１の電力供給端子との電気接続を実現するため、この抵抗器Ｒ１の両端部が、図４ｂの回路構成に基づいて、当該リードフレーム１２に対応する接続端子に溶着される。
【００２７】
次いで、図７を参照すると、コンデンサＣ１とコンデンサＣ２とがそれぞれ、対応する取付溝内に設置され、図４ｂの回路構成に基づいて、コンデンサＣ１の接続端子とコンデンサＣ２の接続端子とワイヤリングハーネスの接続端子とがそれぞれ、当該リードフレーム１２に対応する接続端子内に通常の方法で設置され、一緒に圧接される。例えば、接地されているコンデンサＣ１の１つの端部に対して、この端部と接地線とが、リードフレームに対応する接続端子内に設置され、一緒に圧接される。
【００２８】
最後に、一体型の射出成形が、金型を構成することによって実施される。当該リードフレーム１２とサポート１３とが、同じ絶縁ハウジング内に全体として封入される。すなわち、図８内に示されたようなセンサ本体が形成される。外部の車両用制御装置又は車両用計器との接続を実現するため、当該ワイヤリングハーネス１４の一部が、当該絶縁ハウジング内に封入され、当該ワイヤリングハーネス１４の別の一部が、当該絶縁ハウジングの外側に設置される。当該ワイヤリングハーネスの一部以外の当該センサ本体内の全ての構成要素が、一体型の射出成形によって同じ絶縁ハウジング内に封入される方法は、様々な道路状況下の車両の走行状態に適合されるように、当該車輪速センサに非常に良好な耐振動性及び耐密封性を持たせる。
【００２９】
説明をより簡潔にするため、上記の１つの抵抗器と複数のコンデンサと一緒に組み立てられた当該サポート１３の２つの対向面は、組み立て面と呼ばれ、その他の２つの対向面は、側面と呼ばれる。当該絶縁ハウジングの対向する当該側面の一部が、側壁と呼ばれる。図３及び８を一緒に参照すると、当該サポート１３が、当該絶縁ハウジングの側壁に設置されている。すなわち、当該側面は、複数の突起部を備え付けられている。当該突起部は、射出成形温度より低い融点を呈する材料を採用し、射出成形中に、当該突起部が溶融し、当該絶縁ハウジングと一体化される。この構造設定は、当該センサ本体の密封性を強化させる。当該絶縁ハウジング自体が、耐水性を有するので、この構造は、当該センサ本体の内部構成要素が、比較的良好な耐水性を有することも保証する。当該複数の突起部は、突型であり、当該センサ本体内の対応する固定点の周りに分散されている。
【００３０】
図１，２及び８を一緒に参照すると、当該車輪速センサの全体の組み立てを完成させ、図１に示されたような車輪速センサを形成するため、図８に示されたようなセンサ本体が、図２に示されたような方法で当該ハウジング本体２１内に挿入され、オイルシール４が、当該ハウジング本体２１内へ押圧され、当該信号パネル３が、当該ハウジング本体２１内に組み付けられるように、当該中心軸２２上にスリーブ状に被せられる。より最適な構成では、当該センサ本体と当該ハウジング本体２１とを座屈構造物によって一緒に固定させるため、当該座屈構造物が、当該ハウジング本体２１内に提供されてもよい。当該センサ本体が故障したときに、このセンサ本体が、当該座屈構造物から引き出され、当該センサ本体と当該ハウジング本体とを簡単に交換させることができる。当該信号パネルを簡単に交換することも、全体の組立工程から理解され得る。
【００３１】
当該車輪速センサが、例えば自動二輪車に適用される場合、２つの爪構造物が、当該自動二輪車の２つの車輪に対する当該信号パネルの複数の部分に配置され得る。これに応じて、当該自動二輪車の２つの車輪が回転するときに、この信号パネルと当該２つの車輪とが、同期して回転され得る。この信号パネルの当該回転は、当該座屈本体内の磁場を変化させるために、上述したように、この信号パネル上の当該複数の突起構造物に当該磁場の磁力線を切らせ得る。当該センサ本体内のホールセンサ素子が、この変化を検出し、測定信号を生成する。当該測定信号は、当該ワイヤリングハーネスを通じて計器パネルに出力され、この計器パネルによって計算された後に得られた速度値が、この計器パネル上に表示される。
【００３２】
本発明が、上述したように、好適な実施の形態で説明されているものの、本発明は、この実施の形態に限定されない。本発明の技術思想及び範囲から離れることなしに、当業者によって実施される様々な変更及び修正が、本発明の保護範囲内に含まれる。したがって、本発明の保護範囲は、特許請求の範囲によって規定される範囲である。
【符号の説明】
【００３３】
１    センサ本体
２    ハウジングアセンブリ
３    信号パネル
４    オイルシール
１１  ホールセンサ素子
１２  リードフレーム
１３  サポート
１４  ワイヤリングハーネス
２１  ハウジング本体
２２  中心軸
２３  永久磁石
Ｒ１  抵抗器
Ｃ１  コンデンサ
Ｃ２  コンデンサ
【図１】
0005986686.tif 000002
【図２】
0005986686.tif 000003
【図３】
0005986686.tif 000004
【図４ａ】
0005986686.tif 000005
【図４ｂ】
0005986686.tif 000006
【図５】
0005986686.tif 000007
【図６】
0005986686.tif 000008
【図７】
0005986686.tif 000009
【図８】
0005986686.tif 000010